(57)【要約】【課題】従来よりも高い光利用効率で紫外線を照射するネイルケア装置を実現する。【解決手段】ネイルケア装置（１００）は、カバー部（１）、発光部（２）、及び、発光制御モジュール（９）を含んでいる。カバー部（１）は、手足の指先をカバーするように構成される。発光部（２）は、発光部（２）から発せられた光がカバー部（１）によってカバーされた指先の爪に照射するように、カバー部（１）の中に配置されている。発光制御モジュール（９）は、発光部（２）と連結している。また発光制御モジュール（９）は、発光部（２）の動作を制御することが可能である。【選択図】図２
2011131050.tif 000002
【特許請求の範囲】
【請求項１】
手足の指先をカバーするように構成されたカバー部（１）と、
前記カバー部（１）によってカバーされた指先の爪（２００）に、発光部（２）から発せられた光が照射するように、前記カバー部（１）内に配置された発光部（２）と、
前記発光部（２）と連結され、前記発光部（２）の動作を制御することが可能な発光制御モジュール（９）とを備えていることを特徴とするネイルケア装置（１００）。
【請求項２】
前記カバー部（１）は、手足の指先に接するスリーブが付いていることを特徴とする請求項１に記載のネイルケア装置（１００）。
【請求項３】
前記カバー部（１）は、可撓性のある材料でできていることを更に特徴とする請求項２に記載のネイルケア装置（１００）。
【請求項４】
前記カバー部（１）は、前記カバー部（１）によってカバーされた指先の爪（２００）との間に間隔が生じるように、且つ、爪（２００）に対向するように構成されている壁部（１０）を備えており、前記発光部（２）は、前記壁部（１０）に配置されていることを更に特徴とする請求項３に記載のネイルケア装置（１００）。
【請求項５】
前記カバー部（１）は、前記カバー部（１）に手足の指先を挿入するための開口部（１１）を画定し、前記カバー部（１）は、前記カバー部（１）によってカバーされた指先に前記カバー部（１）を着脱可能に取り付けるための固定ユニット（１２）を備えていることを更に特徴とする請求項３に記載のネイルケア装置（１００）。
【請求項６】
前記固定ユニット（１２）は、前記カバー部（１）によってカバーされた指先に前記カバー部（１）を着脱可能に結合するために、前記カバー部（１）上に前記開口部（１１）に隣接して弾力性のあるバンドを備えていることを更に特徴とする請求項５に記載のネイルケア装置（１００）。
【請求項７】
前記発光制御モジュール（９）は、前記カバー部（１）上に配置され、前記発光部（２）から放射された光が、前記発光部（２）の全周波数スペクトルにおける一定の周波数帯域に含まれるように、前記発光部（２）の動作を制御するように構成されていることを特徴とする請求項１に記載のネイルケア装置（１００）。
【請求項８】
前記発光制御モジュール（９）の動作を制御する制御信号を発生するための制御回路（３１）を含んだ制御ユニット（３）を更に備えていることを特徴とする請求項７に記載のネイルケア装置（１００）。
【請求項９】
前記制御ユニット（３）は、電力を、前記制御ユニット（３）、前記発光制御モジュール（９）、及び、前記発光部（２）に供給するための電源ユニット（３２）を更に備えていることを更に特徴とする請求項８に記載のネイルケア装置（１００）。
【請求項１０】
前記制御ユニット（３）を取り付けるための装着型アクセサリ（６）を備えていることを更に特徴とする請求項８に記載のネイルケア装置（１００）。
【請求項１１】
前記装着型アクセサリ（６）は、手首用アクセサリ、首用アクセサリ、及び、脚用アクセサリの何れかであることを更に特徴とする請求項１０に記載のネイルケア装置（１００）。
【請求項１２】
前記制御ユニット（３）から前記発光制御モジュール（９）に制御信号を送信するための伝送線（４）であって前記発光制御モジュール（９）と前記制御ユニット（３）との間に連結している伝送線（４）を備えていることを更に特徴とする請求項８に記載のネイルケア装置（１００）。
【請求項１３】
前記制御ユニット（３）は、発光部（２）の動作時間を制御するコントローラを更に備え、前記コントローラは、カウンタ（３３）及びタイマー（３４）の何れかであることを更に特徴とする請求項８に記載のネイルケア装置（１００）。
【請求項１４】
発光部（２）を囲むように前記カバー部（１）内に配置された光学制御ユニット（２０）であって、前記発光部（２）から放射された光を前記カバー部（１）にてカバーされた指先の爪（２００）に向けるための光学制御ユニット（２０）を備えていることを更に特徴とする請求項１に記載のネイルケア装置（１００）。
【請求項１５】
前記カバー部（１）によってカバーされた指先の爪（２００）から間隔を隔てて前記発光部（２）が配置されるように、前記カバー部（１）によってカバーされた指先の反対側の側面を終端とするような隣接する２つの側端（５１）を保持している曲線状のスペーサ（５）であって前記カバー部（１）内に配置され、前記発光部（２）が取り付けられた曲線状のスペーサ（５）を備えていることを更に特徴とする請求項１に記載のネイルケア装置（１）。
【請求項１６】
前記制御ユニット（３）は、前記制御ユニット（３）に電力を供給するための電源ユニット（３２）と、制御信号を無線送信するための送信モジュール（３５）とを更に備え、
前記ネイルケア装置（１００）は、
前記制御ユニット（３）から送信された制御信号を無線受信するように前記カバー部（１）上に配置された受信モジュール（７）であって、該受信モジュール（７）によって受信した制御信号が前記発光制御モジュール（９）に供給されるように前記発光制御モジュール（９）と連結された受信モジュール（７）と、
前記カバー部（１）上に備えられている電源（８）であって前記受信モジュール（７）、前記発光制御モジュール（９）、及び、前記発光部（２）に電力を供給する電源（８）とを更に備えていることを更に特徴とする請求項８に記載のネイルケア装置（１００）。
【請求項１７】
前記カバー部（１）の各々に、手足の対応する指先に接するスリーブが付いているような複数のカバー部（１）と、
前記発光部（２）の各々が前記複数のカバー部（１）のうちの対応するカバー部（１）内に配置された複数の発光部（２）と、
前記発光制御モジュール（９）の各々が、前記複数の発光部（２）のうちの対応する発光部（２）に連結され、該発光部（２）の動作を制御する複数の発光制御モジュール（９）とを備えていることを特徴とする請求項１に記載のネイルケア装置（１００）。
【請求項１８】
前記複数の発光制御モジュール（９）の各々の動作を制御するための制御回路（３１）を含んでいる制御ユニット（３）を備えていることを更に特徴とする請求項１７に記載のネイルケア装置（１００）。
【請求項１９】
手足に装着するために構成され、前記複数のカバー部（１）と連結される被覆体を更に備えていることを特徴とする請求項１７に記載のネイルケア装置（１００）。
【請求項２０】
前記被覆体は、手をカバーするもの及び足をカバーするものの何れかであることを特徴とする請求項１９に記載のネイルケア装置（１００）。
【請求項２１】
前記複数のカバー部（１）が支持部に配置されていることを更に特徴とする請求項１７に記載のネイルケア装置（１００）。
【請求項２２】
前記支持部は、ボール状の物体（３００）であり、前記複数のカバー部（１）は、前記支持部が手によって握られるときに前記複数のカバー部（１）の中に手の指先を挿入することが可能な形で、前記支持部に配置されていることを特徴とする請求項２１に記載のネイルケア装置（１００）。
【発明の詳細な説明】
【技術分野】
【０００１】
本発明は、ネイルケア装置に関する。特に、手足の指先の爪に光を照射することのできるネイルケア装置に関する。
【背景技術】
【０００２】
図１には、マニキュア処理をした後に手の指の爪に紫外線を照射する従来のネイルケア装置９００が示されている。
【０００３】
しかし、紫外線を照射している間、ユーザの手の指をネイルケア装置９００の中に置いておく必要があるため、ユーザは、マニキュア液を乾かしているのを待っている間、ユーザの手をどうすることもできない。更に、ネイルケア装置９００の発光部から放射される紫外線は、各指の爪の方向に向けられていない。これにより、光利用効率が比較的低くなっている。
【発明の概要】
【発明が解決しようとする課題】
【０００４】
そのため、本発明の目的は、従来技術の上述した問題点を軽減することが可能なネイルケア装置を提供することにある。
【課題を解決するための手段】
【０００５】
本発明によれば、ネイルケア装置は、カバー部、発光部、及び、発光制御モジュールを備えている。カバー部は、手足の指先をカバーするように構成されている。発光部は、発光部から発せられた光がカバー部によってカバーされた指先の爪に照射するように、カバー部の中に配置されている。発光制御モジュールは、発光部と連結しており、発光部の動作を制御することが可能である。
【図面の簡単な説明】
【０００６】
本発明のその他の特徴点及び利点は、以下の添付図面を参照した下記の発明を実施するための形態で明らかにしている。
【図１】従来のネイルケア装置の概略斜視図である。
【図２】ネイルケア装置の第１の好ましい実施の形態における、手の指先をカバーしているカバー部を示す概略斜視図である。
【図３】前記第１の好ましい実施の形態における、足の指先をカバーしている前記カバー部を示す概略斜視図である。
【図４】前記第１の好ましい実施の形態における、前記カバー部と連結したネイルケア装置の制御ユニットを示す概略斜視図及びブロック図である。
【図５】前記第１の好ましい実施の形態における、制御ユニットの構成を示すブロック図である。
【図６】前記第１の好ましい実施の形態における、一部変更した制御ユニットを示すブロック図である。
【図７】本発明におけるネイルケア装置の第２の好ましい実施の形態を示す概略斜視図である。
【図８】本発明におけるネイルケア装置の第３の好ましい実施の形態を示す概略上面図である。
【図９】前記第３の好ましい実施の形態における、ネイルケア装置の制御ユニットの構成を示すブロック図である。
【図１０】前記第３の好ましい実施の形態における、伝送線の配置を一部変更したネイルケア装置の概略斜視図である。
【図１１】本発明におけるネイルケア装置の第４の好ましい実施の形態を示す概略上面図である。
【図１２】本発明におけるネイルケア装置の第５の好ましい実施の形態を示す概略側面図である。
【発明を実施するための形態】
【０００７】
本発明をより詳細に説明する前に、添付の開示を通して、同じ参照数字は、一致する要素または類似の要素を示していることに注意しなければならない。
【０００８】
図２乃至図４には、本発明におけるネイルケア装置１００の第１の好ましい実施の形態が示されている。ネイルケア装置１００は、カバー部１、発光部２、制御ユニット３、伝送線４、及び、発光制御モジュール９を備えている。
【０００９】
カバー部１には、例えば、手の指先、または、足のつま先のような、手足の指先に接するスリーブが付いている。また、本実施形態において、カバー部１は、可撓性のある材料でできている。このカバー部１は、カバー部１に手足の指先を挿入するための開口部１１を規定する。カバー部１は、カバー部１によってカバーされた指先の爪２００との間に間隔が生じるように、且つ、爪２００に対向するように構成されている壁部１０を保持している。また、カバー部１は、カバー部１によってカバーされた指先に、カバー部１を着脱可能に取り付けるための固定ユニット１２を備えている。本実施形態において、この固定ユニット１２は、カバー部１によってカバーされた指先にカバー部１を着脱可能に結合するために、カバー部１上に開口部１１に隣接して備えられたゴムバンドとして構成される。
【００１０】
発光部２は、発光部２から発せられた光がカバー部１によってカバーされた指先の爪２００に照射するように、カバー部１の壁部１０に配置されている。発光部２は、２８０ｎｍ〜４６０ｎｍの波長帯の範囲にある光を放射することが可能な紫外線発光ダイオードであることが好ましいが、本発明はこれに限定されない。
【００１１】
発光制御モジュール９は、カバー部１上に配置されている。発光制御モジュール９は、発光部２と連結されており、この発光部２の動作を制御することが可能である。本実施形態において、発光制御モジュール９は、およそ０．２ｍｍ２から１０ｍｍ２の面積を持つ制御チップである。また、発光制御モジュール９は、発光部２から放射された光が、発光部２の全周波数スペクトルにおける一定の周波数帯域に含まれるように、発光部２の動作を制御するように構成されている。なお、発光部２から放射された光が発光部２の全周波数スペクトルにおける複数通りの一定の周波数帯域から選択された１つの周波数帯域に含まれるように発光部２の動作を制御するために、複数個の発光制御モジュール９はカバー部１上に配置されてもよい。発光部２の数及び種類は、要件に応じて変更することができる。例えば、発光部２は、医学的用途で用いられる有機発光ダイオード（ＯＬＥＤ）であることが可能である。
【００１２】
制御ユニット３は、発光制御モジュール９の動作を制御する制御信号を発生するための制御回路３１と、制御ユニット３、発光制御モジュール９、及び、発光部２に電力を供給するための電源ユニット３２とを備えている。本実施形態において、電源ユニット３２は、着脱可能な充電池であるが、本発明はこれに限定されない。
【００１３】
伝送線４は、制御回路３１から発光制御モジュール９に制御信号を送信するために発光制御モジュール９と制御回路３１との間に接続されている。
【００１４】
ネイルケア装置１００は、その上に制御ユニット３を取り付けるための、手首用アクセサリ（例えば、リストバンド）として構成された装着型アクセサリ６を、更に備えている。なお、装着型アクセサリ６は、本発明の他の実施形態として、首用アクセサリまたは脚用アクセサリであってもよい。
【００１５】
ネイルケア装置１００は、更に、発光部２から放射された光をカバー部１にてカバーされた指先の爪２００に向けるためにカバー部１内に発光部２を囲むように配置された光学制御ユニット２０を備えている。光学制御ユニット２０は、光学レンズ、光導体及び反射体の何れかである。光学制御ユニット２０は、シリコン、ガラス、有機高分子、及び無機高分子で生成されている。それゆえ、光学制御ユニット２０から放射された光は、均一にされ、指先の爪２００に向けられることができる。その結果、光利用効率が比較的高くなる。なお、光学制御ユニット２０は、ＭＥＭＳまたは成形法によって製造されてもよい。
【００１６】
ネイルケア装置１００は、カバー部１に配置されている曲線状のスペーサ５を更に備えている。曲線状のスペーサ５は、発光制御モジュール９を保持しており、その上に発光部２を取り付けている。また、曲線状のスペーサ５は、カバー部１によってカバーされた指先の爪２００から間隔を隔てて発光部２が配置されるように、カバー部１によってカバーされた指先の反対側の側面を終端とするような２つの側端５１を保持している。
【００１７】
なお、カバー部１は、爪２００から間隔を隔てて発光部２を発光する上で十分な剛性を持つ物質から生成されてもよい。それゆえ、本発明のその他の実施形態において、曲線状のスペーサ５を割愛する。
【００１８】
図５及び図６に示すように、制御ユニット３は、カウンタ３３またはタイマー３４として構成されたコントローラを更に備えている。装着型アクセサリ６は、スイッチ６１を保持している。スイッチ６１は、トリガー信号を生成するために操作され、コントローラ及びコントローラにトリガー信号を送信するための制御回路３１に電気的に接続される。
【００１９】
カウンタ３３（図５参照）の場合、スイッチ６１によって生成されたトリガー信号がカウンタ３３及び制御回路３１に送信されるとき、カウンタ３３はカウントを開始し、制御回路３１は、制御信号を生成する。この制御信号は、発光制御モジュール９によって受信され、発光制御モジュール９は、発光部２が点灯し、発光部２から放射された光が爪２００を照射するように、発光部２の動作を制御する。また、制御回路３１は、カウンタ３３によってカウントされた値を検出するために、カウンタ３３と連結される。カウンタ３３が予め定められた値までカウントしたとき、制御回路３１は、発光部２を消灯するように発光制御モジュール９を制御するための別の制御信号を生成する。
【００２０】
タイマー３４（図６参照）の場合、スイッチ６１によって生成されたトリガー信号がタイマー３４及び制御回路３１に送信されるとき、タイマー３４は時間を計測し始め、制御回路３１は、制御信号を生成する。この制御信号は、発光制御モジュール９によって受信され、発光制御モジュール９は、発光部２が点灯し、発光部２から放射された光が爪２００を照射するように、発光部２の操作を制御する。また、制御回路３１は、タイマー３４によって計測された時間を検出するために、タイマー３４と連結される。タイマー３４が予め定められた時間まで計測したとき、制御回路３１は、発光部２を消灯するよう発光制御モジュール９を制御するための別の制御信号を生成する。
【００２１】
従って、スイッチ６１がユーザによって操作された後、発光部２は、爪２００を照射するために点灯し、予め定められた時間（例えば、３分）の経過後に自動的に消灯する。即ち、コントローラは、発光部２の動作時間を制御しており、それによって、爪２００への余分な照射を避けている。
【００２２】
図７に示すように、本発明におけるネイルケア装置１００の第２の好ましい実施の形態は、第１の実施の形態に類似した構成である。本実施形態と第１の実施形態との主な違いは、以下のとおりである。本実施形態において、第１の好ましい実施の形態で説明した伝送線４は、取り除かれている。制御ユニット３は、制御信号を無線送信するための送信モジュール３５と、制御ユニット３に電力を供給するための電源ユニット３２とを更に備えている。この無線送信は、赤外線、Ｂｌｕｅｔｏｏｔｈ（登録商標）、及び、無線周波数伝送（ＲＦ  ｔｒａｎｓｍｉｓｓｉｏｎ）の何れかである。
【００２３】
ネイルケア装置１００は、受信モジュール７と、電源８とを更に備えている。受信モジュール７は、制御ユニット３１から送信された制御信号を無線受信するようにカバー部１上に配置されている。また、受信モジュール７は、それによって受信した制御信号を発光制御モジュール９に供給するように発光制御モジュール９と連結されている。電源８も、受信モジュール７、発光制御モジュール９、及び、発光部２に電力を供給するために、カバー部１上に備えられている。
【００２４】
制御信号が受信モジュール７によって受信され、尚且つ、発光制御モジュール９に送信された後、発光部２から放射された光は、発光制御モジュール９による制御に従って、指先の爪２００に照射する。第２の好ましい実施の形態は、第１の好ましい実施の形態と同じ効果を奏する。
【００２５】
図８及び図９に示すように、本発明におけるネイルケア装置１００の第３の好ましい実施の形態は、第１の実施の形態に類似した構成である。本実施形態と第１の実施形態との主な違いは、以下のとおりである。本実施形態において、ネイルケア装置１００は、５つのカバー部１、５つの発光部２、５つの光学制御ユニット２０、５つの発光制御モジュール９、及び、５つの伝送線４を備えている。制御ユニット３は、発光制御モジュール９の個々の動作を制御するための制御回路３１を備えている。各伝送線４は、制御回路３１から発光制御モジュール９に制御信号を送信するために、対応する発光制御モジュール９と制御ユニット３の制御回路３１とを連結している。カバー部１の各々には、手足のそれぞれの指先に接するスリーブが付いている。発光部２の各々は、対応するカバー部１に配置される。発光部２の各々は、手足の対応する指先の爪２００との間に間隔を隔てて、爪２００に対向している。発光制御モジュール９の各々は、対応する発光部２と連結され、制御回路３１からの制御に従って、対応するカバー部１によってカバーされた対応する指先の爪２００に照射するように、対応する発光部２の動作を制御する。各光学制御ユニット２０は、対応するカバー部１に配置され、発光部２から放射された光が対応するカバー部１によってカバーされた対応する指先の爪２００に向くように、対応する発光部２を囲んでいる。
【００２６】
制御ユニット３は、制御回路３１と連結され、グラフィカルユーザインターフェースを表示するタッチスクリーン３６と、タッチスクリーン３６に電力を供給するための電源３２とを更に備えている。グラフィカルユーザインターフェースは、ユーザによって選択される複数のオプションを保持している。複数のオプションとしては、例えば、各発光部２の照射時間及び照射強度などが挙げられる。タッチスクリーン３６は、タッチされたタッチスクリーン３６上の位置に対応する位置信号を生成する。位置信号は制御回路３１によって受信され、制御回路３１は、位置信号に応じた制御信号を生成する。本発明の他の実施形態において、図５及び図６で示されたカウンタ３３及びタイマー３４の何れかが、制御ユニット３内に含まれていてもよい。
【００２７】
更に、図１０に伝送線４の変形例を示す。伝送線４のうちの１本は、制御ユニット３の制御回路３１と発光制御モジュール９のひとつとを連結していてもよい。そして、残りの伝送線の各々は、制御回路３１から発光制御モジュール９へ制御信号を送信するために、２つの隣り合った発光制御モジュール９同士を連結している。第３の好ましい実施の形態は、第１の好ましい実施の形態と同じ効果を奏する。
【００２８】
図１１に示すように、本発明におけるネイルケア装置１００の第４の好ましい実施の形態は、第３の実施の形態に類似した構成である。本実施形態と第３の実施形態との主な違いは、以下のとおりである。本実施形態において、ネイルケア装置１００は、手足に装着するために構成され、カバー部１と連結された被覆体を更に含んでいる。被覆体は、例えば手袋のような手をカバーするもの、及び、例えば靴下のような足をカバーするものの何れかである。制御ユニット３及び伝送線４は、被覆体によってカバーされている。それによって本発明におけるネイルケア装置の美観を改良している。第４の好ましい実施の形態は、第３の好ましい実施の形態と同じ効果を奏する。
【００２９】
図１２に示すように、本発明におけるネイルケア装置１００の第５の好ましい実施の形態は、第３の実施の形態に類似した構成である。本実施形態と第３の実施形態との主な違いは、以下のとおりである。本実施形態において、ネイルケア装置１００は、ボール状物体３００として構成された支持部を更に備えている。ボール状物体３００は、筐体３１０を備えている。ボール状物体３００は、支持部がユーザの手によって握られるときにカバー部１の中に手の指先の挿入が可能な形でカバー部１を配置するための５つの受入領域３１１を形成している。制御ユニット３は、筐体３１０内に配置される。第５の好ましい実施の形態は、第３の好ましい実施の形態と同じ効果を奏する。
【００３０】
本発明について、最も実用的かつ好ましいと考えられる実施形態に関連して説明した。しかし本発明は、開示されている実施形態に限定されるものではなく、最も広く解釈される本発明の精神および範囲に含まれる様々な構成を網羅しており、このような変形例および同等の構成をも包含するものであることについて理解されたい。
【００３１】
〔関連出願の相互参照〕
本出願は、２００９年１２月１１日に出願された、台湾特許出願第０９８１４２５０６号を基礎として優先権を主張するものである。
【図１】
2011131050.tif 000003
【図２】
2011131050.tif 000004
【図３】
2011131050.tif 000005
【図４】
2011131050.tif 000006
【図５】
2011131050.tif 000007
【図６】
2011131050.tif 000008
【図７】
2011131050.tif 000009
【図８】
2011131050.tif 000010
【図９】
2011131050.tif 000011
【図１０】
2011131050.tif 000012
【図１１】
2011131050.tif 000013
【図１２】
2011131050.tif 000014
【外国語明細書】
2011131050000001.pdf